(57)【要約】【課題】想定外の位置において、精神的余裕がない場合においても、迅速に現在位置を示す位置情報を送信することができ、かつ、測位衛星からの電波を受信することができる場合には、迅速に測位衛星からの電波に基づく位置情報を送信することができる端末装置等を提供すること。【解決手段】通報受信端末装置６０に対して位置情報を送信する端末装置２０であって、  情報記憶装置１５から情報記憶装置１５の位置を示す記憶装置位置情報を受信する記憶装置位置情報受信手段と、記憶装置位置情報を受信した時刻を示す受信時刻情報を生成する受信時刻情報生成手段と、通報受信端末装置６０に対して、最新の記憶装置位置情報を送信する最新記憶装置位置情報送信手段と、衛星信号に基づいて、測位位置を示す測位位置情報を生成する測位位置情報生成手段と、通報受信端末装置６０に対して、測位位置情報を送信する測位位置情報送信手段と、を有する。【選択図】図５
2007116618.tif 000002
【特許請求の範囲】
【請求項１】
通報受信端末装置に対して位置情報を送信する端末装置であって、
情報記憶装置から前記情報記憶装置の位置を示す記憶装置位置情報を受信する記憶装置位置情報受信手段と、
前記記憶装置位置情報を受信した時刻を示す受信時刻情報を生成する受信時刻情報生成手段と、
前記通報受信端末装置に対して、最新の前記記憶装置位置情報を送信する最新記憶装置位置情報送信手段と、
測位衛星からの信号である衛星信号を受信する衛星信号受信手段と、
前記衛星信号に基づいて、測位位置を示す測位位置情報を生成する測位位置情報生成手段と、
前記通報受信端末装置に対して、前記測位位置情報を送信する測位位置情報送信手段と、
を有することを特徴とする端末装置。
【請求項２】
前記記憶装置位置情報は、前記端末装置の位置が屋内か屋外かを示す屋内屋外情報を含み、
前記屋内屋外情報に基づいて、現在位置が屋内か屋外かを判断する屋内屋外判断手段を有し、
前記衛星信号受信手段は、前記屋内屋外判断手段によって現在位置が屋外であると判断した場合にのみ、起動する構成となっていることを特徴とする請求項１に記載の端末装置。
【請求項３】
前記記憶装置位置情報は、前記情報記憶装置の位置に対応する名称を示す位置名称情報を含み、
前記測位位置情報は、前記測位位置の精度を示す精度情報を含むことを特徴とする請求項１又は請求項２のいずれかに記載の端末装置。
【請求項４】
通報受信端末装置に対して位置情報を送信する端末装置が、情報記憶装置から前記情報記憶装置の位置を示す記憶装置位置情報を受信する記憶装置位置情報受信ステップと、
前記端末装置が、前記記憶装置位置情報を受信した時刻を示す受信時刻情報を生成する受信時刻情報生成ステップと、
前記端末装置が、前記通報受信端末装置に対して、最新の前記記憶装置位置情報を送信する最新記憶装置位置情報送信ステップと、
前記端末装置が、測位衛星からの信号である衛星信号を受信する衛星信号受信ステップと、
前記端末装置が、前記衛星信号に基づいて、測位位置を示す測位位置情報を生成する測位位置情報生成ステップと、
前記端末装置が、前記通報受信端末装置に対して、前記測位位置情報を送信する測位位置情報送信ステップと、
を有することを特徴とする端末装置の制御方法。
【請求項５】
コンピュータに、
通報受信端末装置に対して位置情報を送信する端末装置が、情報記憶装置から前記情報記憶装置の位置を示す記憶装置位置情報を受信する記憶装置位置情報受信ステップと、
前記端末装置が、前記記憶装置位置情報を受信した時刻を示す受信時刻情報を生成する受信時刻情報生成ステップと、
前記端末装置が、前記通報受信端末装置に対して、最新の前記記憶装置位置情報を送信する最新記憶装置位置情報送信ステップと、
前記端末装置が、測位衛星からの信号である衛星信号を受信する衛星信号受信ステップと、
前記端末装置が、前記衛星信号に基づいて、測位位置を示す測位位置情報を生成する測位位置情報生成ステップと、
前記端末装置が、前記通報受信端末装置に対して、前記測位位置情報を送信する測位位置情報送信ステップと、
を実施させることを特徴とする端末装置の制御プログラム。
【請求項６】
コンピュータに、
通報受信端末装置に対して位置情報を送信する端末装置が、情報記憶装置から前記情報記憶装置の位置を示す記憶装置位置情報を受信する記憶装置位置情報受信ステップと、
前記端末装置が、前記記憶装置位置情報を受信した時刻を示す受信時刻情報を生成する受信時刻情報生成ステップと、
前記端末装置が、前記通報受信端末装置に対して、最新の前記記憶装置位置情報を送信する最新記憶装置位置情報送信ステップと、
前記端末装置が、測位衛星からの信号である衛星信号を受信する衛星信号受信ステップと、
前記端末装置が、前記衛星信号に基づいて、測位位置を示す測位位置情報を生成する測位位置情報生成ステップと、
前記端末装置が、前記通報受信端末装置に対して、前記測位位置情報を送信する測位位置情報送信ステップと、
を実施させることを特徴とする端末装置の制御プログラムを記録したコンピュータ読み取り可能な記録媒体。
【発明の詳細な説明】
【技術分野】
【０００１】
本発明は、緊急通報とともに位置情報を送信する端末装置、端末装置の制御方法、端末装置の制御プログラム、端末装置の制御プログラムを記録したコンピュータ読み取り可能な記録媒体に関するものである。
【背景技術】
【０００２】
急病等の緊急時においては、外部に緊急状態を通報して、救助を要求する必要がある場合がある。このとき、救助を受ける者の位置を知ることが重要である。
例えば、警察機関や消防機関などの緊急通報先への通報においては、通報者の位置の特定が重要である。例えば、「総務省、情報通信審議会、情報通信技術分化会、緊急通報機能等高度化委員会」が平成１６年５月に提出した「携帯電話からの緊急通報における発信者位置情報通知機能に係る技術的条件−緊急通報機能等高度化委員会  報告書（案）−」には、緊急通報時の初期段階に、所定の測位精度の位置情報を移動機が送出すべきことが記載されている。
これに関連して、携帯端末の記憶部に常時行く場所の位置データを、位置キーと１対１で予め登録しておき、緊急通報時に、現在居る場所に対応する位置キーを選択して位置データをセンター装置に送信する技術が提案されている。このとき、ＧＰＳ（Ｇｌｏｂａｌ  Ｐｏｓｉｔｉｏｎｉｎｇ  ｓｙｓｔｅｍ）衛星から衛星データを受信することができる場合には、衛星データとともに、上述の位置データが送信されるようになっている。
【特許文献１】特開２００１−２０９８９２号公報（図２等）
【発明の開示】
【発明が解決しようとする課題】
【０００３】
しかし、上述の技術においては、予め登録しておいた位置以外において緊急通報が必要になる場合には、対応できないという問題がある。また、緊急状態に陥いり、精神的余裕を失っている者が、現在位置に対応する位置キーを冷静に選択することができるとは限らない。さらに、ＧＰＳ衛星からの電波強度等によっては、ＧＰＳデータの受信に長時間を要するから、位置情報の送信が遅れる場合があるという問題がある。
【０００４】
そこで、本発明は、想定外の位置において、精神的余裕がない場合においても、迅速に現在位置を示す位置情報を送信することができ、かつ、測位衛星からの電波を受信することができる場合には、迅速に測位衛星からの電波に基づく位置情報を送信することができる端末装置、端末装置の制御方法、端末装置の制御プログラム、端末装置の制御プログラムを記録したコンピュータ読み取り可能な記録媒体を提供することを目的とする。
【課題を解決するための手段】
【０００５】
前記目的は、第１の発明によれば、通報受信端末装置に対して位置情報を送信する端末装置であって、情報記憶装置から前記情報記憶装置の位置を示す記憶装置位置情報を受信する記憶装置位置情報受信手段と、前記記憶装置位置情報を受信した時刻を示す受信時刻情報を生成する受信時刻情報生成手段と、前記通報受信端末装置に対して、最新の前記記憶装置位置情報を送信する最新記憶装置位置情報送信手段と、測位衛星からの信号である衛星信号を受信する衛星信号受信手段と、前記衛星信号に基づいて、測位位置を示す測位位置情報を生成する測位位置情報生成手段と、前記通報受信端末装置に対して、前記測位位置情報を送信する測位位置情報送信手段と、を有することを特徴とする端末装置により達成される。
【０００６】
第１の発明の構成によれば、前記端末装置は、前記最新記憶装置位置情報送信手段を有するから、前記通報受信端末装置に対して、前記記憶装置位置情報受信手段によって受信した前記記憶装置位置情報のうち、最新の前記記憶装置位置情報を送信することができる。
ここで、前記記憶装置位置情報受信手段は、日常的によく行く場所に限らず、前記情報記憶装置から前記記憶装置位置情報を受信する。そして、最新の前記記憶装置位置情報は、前記端末装置が最も直近に取得した情報であるから、前記端末装置の真の位置に最も近いはずである。このため、前記端末装置の使用者が緊急状態において精神的な余裕がない場合においても、前記最新記憶装置位置情報送信手段は、前記通報受信端末装置に対して、最も真の位置に近い前記記憶装置位置情報を送信することができる。さらに、前記最新記憶装置位置情報送信手段は、前記測位衛星から前記衛星信号を受信するか否かに関わらず、最新の前記記憶装置位置情報を送信することができるから、迅速に最新の前記記憶装置位置情報を送信することができる。
また、前記端末装置は、前記測位位置情報送信手段を有するから、前記衛星信号を受信し、前記測位位置情報を生成した場合には、前記情報受信端末装置に対して、前記測位位置情報を送信することができる。
これにより、想定外の位置において、精神的余裕がない場合においても、迅速に現在位置を示す位置情報を送信することができ、かつ、測位衛星からの電波を受信することができる場合には、迅速に測位衛星からの電波に基づく位置情報を送信することができる。
【０００７】
第２の発明は、第１の発明の構成において、前記記憶装置位置情報は、前記端末装置の位置が屋内か屋外かを示す屋内屋外情報を含み、前記屋内屋外情報に基づいて、現在位置が屋内か屋外かを判断する屋内屋外判断手段を有し、前記衛星信号受信手段は、前記屋内屋外判断手段によって現在位置が屋外であると判断した場合にのみ、起動する構成となっていることを特徴とする端末装置である。
【０００８】
第２の発明の構成によれば、前記衛星信号受信手段は、前記屋内屋外判断手段によって現在位置が屋外であると判断した場合にのみ、起動する構成となっているから、屋内であって前記衛星信号の受信が不可能又は困難である場合には起動せず、無駄な動作による電力消費を低減することができる。
【０００９】
第３の発明は、第１の発明又は第２の発明のいずれかの構成において、前記記憶装置位置情報は、前記情報記憶装置の位置に対応する名称を示す位置名称情報を含み、
前記測位位置情報は、前記測位位置の精度を示す精度情報を含むことを特徴とする端末装置である。
【００１０】
第３の発明の構成によれば、前記記憶装置位置情報は、前記情報記憶装置の位置に対応する名称を示す位置名称情報を含み、前記測位位置情報は、前記測位位置の精度を示す精度情報を含むから、前記端末装置を捜索するための目安として前記位置名称情報及び前記精度情報を使用することができる。
【００１１】
前記目的は、第４の発明によれば、通報受信端末装置に対して位置情報を送信する端末装置が、情報記憶装置から前記情報記憶装置の位置を示す記憶装置位置情報を受信する記憶装置位置情報受信ステップと、前記端末装置が、前記記憶装置位置情報を受信した時刻を示す受信時刻情報を生成する受信時刻情報生成ステップと、前記端末装置が、前記通報受信端末装置に対して、最新の前記記憶装置位置情報を送信する最新記憶装置位置情報送信ステップと、前記端末装置が、測位衛星からの信号である衛星信号を受信する衛星信号受信ステップと、前記端末装置が、前記衛星信号に基づいて、測位位置を示す測位位置情報を生成する測位位置情報生成ステップと、前記端末装置が、前記通報受信端末装置に対して、前記測位位置情報を送信する測位位置情報送信ステップと、を有することを特徴とする端末装置の制御方法によって達成される。
【００１２】
第４の発明の構成によれば、第１の発明の構成と同様に、想定外の位置において、精神的余裕がない場合においても、迅速に現在位置を示す位置情報を送信することができ、かつ、測位衛星からの電波を受信することができる場合には、迅速に測位衛星からの電波に基づく位置情報を送信することができる。
【００１３】
前記目的は、第５の発明によれば、コンピュータに、通報受信端末装置に対して位置情報を送信する端末装置が、情報記憶装置から前記情報記憶装置の位置を示す記憶装置位置情報を受信する記憶装置位置情報受信ステップと、前記端末装置が、前記記憶装置位置情報を受信した時刻を示す受信時刻情報を生成する受信時刻情報生成ステップと、前記端末装置が、前記通報受信端末装置に対して、最新の前記記憶装置位置情報を送信する最新記憶装置位置情報送信ステップと、前記端末装置が、測位衛星からの信号である衛星信号を受信する衛星信号受信ステップと、前記端末装置が、前記衛星信号に基づいて、測位位置を示す測位位置情報を生成する測位位置情報生成ステップと、前記端末装置が、前記通報受信端末装置に対して、前記測位位置情報を送信する測位位置情報送信ステップと、を実施させることを特徴とする端末装置の制御プログラムによって達成される。
【００１４】
前記目的は、第６の発明によれば、コンピュータに、通報受信端末装置に対して位置情報を送信する端末装置が、情報記憶装置から前記情報記憶装置の位置を示す記憶装置位置情報を受信する記憶装置位置情報受信ステップと、前記端末装置が、前記記憶装置位置情報を受信した時刻を示す受信時刻情報を生成する受信時刻情報生成ステップと、前記端末装置が、前記通報受信端末装置に対して、最新の前記記憶装置位置情報を送信する最新記憶装置位置情報送信ステップと、前記端末装置が、測位衛星からの信号である衛星信号を受信する衛星信号受信ステップと、前記端末装置が、前記衛星信号に基づいて、測位位置を示す測位位置情報を生成する測位位置情報生成ステップと、前記端末装置が、前記通報受信端末装置に対して、前記測位位置情報を送信する測位位置情報送信ステップと、を実施させることを特徴とする端末装置の制御プログラムを記録したコンピュータ読み取り可能な記録媒体によって達成される。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１６】
図１は、本発明の実施の形態の通報システム１０を示す概略図である。
図１に示すように、通報システム１０は、端末２０を有する。端末２０は、ＧＰＳ装置３６を有し、測位衛星である例えば、ＧＰＳ衛星１２ａ，１２ｂ，１２ｃ及び１２ｄからの信号である例えば、信号Ｓ１，Ｓ２，Ｓ３及びＳ４を受信して現在位置を測位することができる。ＧＰＳ装置３６は、衛星信号受信手段の一例である。信号Ｓ１乃至Ｓ４は衛星信号の一例である。端末２０は、端末装置の一例であり、例えば、携帯電話機である。
端末２０は、タグリーダ３４を有し、例えば、建物１４の正面玄関１４ａ付近に配置されているＩＣタグ１５から、ＩＣタグ１５の位置を示す位置情報を受信することができる。ＩＣタグ１５は、情報記憶装置の一例である。タグリーダ３４は、記憶装置位置情報受信手段の一例である。
【００１７】
また、端末２０は、通信装置３２を有し、通信基地局である基地局５０及びインターネット網５５を介して、通報受信端末６０と通信可能になっている。端末２０は、通報受信端末６０に対して、「緊急事態です」というメッセージを含む緊急通報とともに、現在位置を示す位置情報を送信することができる。後述のように、端末２０は、端末２０の現在位置を示す位置情報として、ＩＣタグ１５から取得した位置情報をまず送信し、その後、信号Ｓ１等に基づく測位ができた場合には、その測位位置を示す情報を送信する。
上述の通報受信端末６０は通報受信端末装置の一例である。  
【００１８】
なお、本実施の形態とは異なり、端末２０は例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
なお、本実施の形態とは異なり、ＧＰＳ衛星１２ａ等は、１個乃至３個であってもよいし、５個以上であってもよい。  
【００１９】
端末２０は、その使用者である甲に保持されており、事故や急病、誘拐の被害を受けている場合、脅迫を受けている場合、ストーカー行為の被害を受けている場合等の緊急状態において、現在位置を示す情報を含む緊急通報を通報受信端末６０に送信することができるようになっている。
【００２０】
（ＩＣタグ１５の主なハードウエア構成について）
図２は、ＩＣタグ１５のハードウエア構成等を示す概略図である。
図２（ａ）に示すように、ＩＣタグ１５は、塩化ビニール等からなるタグ本体１５ａを有すると共に、そのタグ本体１５ａにはＩＣチップ１５ｂが配置されている。
【００２１】
ＩＣタグ１５は、ＩＣ（集積回路）チップ１５ｂを有すると共に、非接触且つ近接することで情報の送受信を行うアンテナ部１５ｃを有している。このＩＣタグ１５は、ＲＦＩＤ（Ｒａｄｉｏ  Ｆｒｅｑｕｅｎｃｙ  Ｉｄｅｎｔｉｆｉｃａｔｉｏｎ：無線を用いた自動認識）を利用しているため、このアンテナ部１５ｃによって接触せずに電波を交信することで情報のやりとりが行える構成となっている。
【００２２】
アンテナ部１５ｃは、図１の端末２０のタグリーダ３４からのＩＣタグ励振信号を受信し、タグリーダ３４に対して応答信号を送信する。
ＩＣタグ１５の通信可能距離は、タグリーダ３４からの電波強度にも依存するが、概略３メートル（ｍ）以内である。
【００２３】
ＩＣタグ１５は、ＩＣで構成されているから、小型化できる。具体的には、ＩＣタグ１５の大きさは、例えば一辺が０．５ミリメートル（ｍｍ）乃至１．０ミリメートル（ｍｍ）の表面及び裏面と、それよりも小さな寸法の側面を有する平板状の直方体である。
【００２４】
図２（ｂ）は、ＩＣタグ１５のＩＣチップ１５ｂのメモリに格納されている情報の一例を示す図である。
図２（ｂ）に示すように、ＩＣタグ１５には、タグ情報１６が記録されている。ＩＣタグ情報１６は、ＩＣタグ１５の位置を示す位置情報１６ａ、及び、ＩＣタグ１５が付されている場所の名称を示す名称情報１６ｂ、及び屋内屋外情報１６ｃを含む。屋内屋外情報１６ｃは、ＩＣタグ１５の位置が屋内か屋外かを示す情報ではなくて、タグ情報１６を受信した端末２０の位置が、次の瞬間である例えば、５秒（ｓ）後に屋内か屋外かを示す情報である。
この位置情報１６ａは記憶装置位置情報一例であり、名称情報は位置名称情報の一例であり、屋内屋外情報１６ｃは屋内屋外情報の一例である。
【００２５】
（端末２０の主なハードウエア構成について）
図３は端末２０の主なハードウエア構成を示す概略図である。
図３に示すように、端末２０は、コンピュータを有しており、コンピュータは、バス２２を有する。
【００２６】
このバス２２には、ＣＰＵ（Ｃｅｎｔｒａｌ  Ｐｒｏｃｅｓｓｉｎｇ  Ｕｎｉｔ）２４、記憶装置２６等が接続されている。記憶装置２６は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
【００２７】
また、このバス２２には、各種情報等を入力するための入力装置２８、電力供給手段である電源装置３０が接続されている。入力装置２８は、例えば、入力ボタン群（図示せず）で構成されている。
また、このバス２２には、外部と通信するための通信装置３２が接続されている。
また、このバス２２には、タグリーダ３４、ＧＰＳ装置３６、及び、各種情報を表示するための表示装置３８及び、時計４０が接続されている。
【００２８】
（通報受信端末６０の主なハードウエア構成について）
図４は通報受信端末６０の主なハードウエア構成を示す概略図である。
図４に示すように、通報受信端末６０は、コンピュータを有しており、コンピュータは、バス６２を有する。
【００２９】
このバス６２には、ＣＰＵ６４、記憶装置６６、入力装置６８、電源装置７０、通信装置７２、ＧＰＳ装置７４、及び、表示装置７６が接続されている。
【００３０】
（端末２０の主なソフトウエア構成について）
図５は、端末２０の主なソフトウエア構成を示す概略図である。
図５に示すように、端末２０は、各部を制御する制御部１００、図３の通信装置３２に対応する通信部１０２、タグリーダ３４に対応するタグリーダ部１０４、ＧＰＳ装置３６に対応するＧＰＳ部１０６、時計４０に対応する計時部１０８等を有する。
【００３１】
また、図５に示すように、端末２０は、各種プログラムを格納する第１記憶部１１０、各種情報を格納する第２記憶部１５０を有する。
【００３２】
図５に示すように、端末２０は、第２記憶部１５０に、端末ＩＤ情報１５２を格納している。端末ＩＤ情報１５２は、端末２０を他の端末と識別するための端末ＩＤを示す情報であり、端末ＩＤは、例えば、「ａａｂｂｃｃ」という英文字列である。
【００３３】
図５に示すように、端末２０は、第２記憶部１５０に、衛星軌道情報１５４を格納している。衛星軌道情報１５４は、すべてのＧＰＳ衛星１２ａ等（図１参照）の概略の衛星軌道を示すアルマナック１５４ａ及び、各ＧＰＳ衛星１２ａ等の精密な衛星軌道を示すエフェメリス１５４ｂを含む。端末２０は、衛星軌道情報１５４を、測位のために使用する。
【００３４】
図５に示すように、端末２０は、第１記憶部１１０に、タグ情報受信プログラム１１２を格納している。タグ情報受信プログラム１１２は、制御部１００が、タグリーダ部１０４によって、ＩＣタグ１５からタグ情報１６（図２（ｂ）参照）を受信するためのプログラムである。
具体的には、制御部１００は、タグリーダ部１０４を制御してタグリーダ３４を起動し、ＩＣタグ１５からタグ情報１６を受信する。そして、制御部１００は、タグ情報１６を位置情報１５８として第２記憶部１５０に格納する。
【００３５】
図５に示すように、端末２０は、第１記憶部１１０に、タグ情報受信時刻情報生成プログラム１１４を格納している。タグ情報受信時刻情報生成プログラム１１４は、制御部１００が計時部１０８によって、タグ情報１６を受信した時刻を計測し、その受信時刻を示す位置情報対応時刻情報１６０を生成するためのプログラムである。位置情報対応時刻情報１６０は受信時刻情報の一例であり、タグ情報受信時刻情報生成プログラム１１４と制御部１００は受信時刻情報生成手段の一例である。
制御部１００は、生成した位置情報対応時刻情報１６０を第２記憶部１５０に格納する。
【００３６】
図６は、位置情報セット１５６等の一例を示す概略図である。
図７は、ＩＣタグ１５Ａ等を示す概略図である。
図６に示すように、位置情報セット１５６は、位置情報１５８と、各位置情報１５８に対応する位置情報対応時刻情報１６０を示す情報である。タグ情報１６（図２（ｂ）参照）及び位置情報１５８に含まれている「名称」を示す情報は、「種別３」として位置情報セット１５６を構成している。
また、位置情報セット１５６は、各位置情報１５８の取得先乃至生成方法を示す「種別１」を示す情報を含む。
種別１における「ＩＣ−ＴＡＧ」は、位置情報１５８の取得先がＩＣタグであることを示す。
種別１における「ＣＥＬＬ」は、位置情報１５８の取得先が基地局測位であることを示す。ここで、基地局測位とは、例えば、端末２０が通信中の基地局５０（図１参照）の位置を取得し、基地局５０の位置を端末２０の位置とする方法である。本明細書においては、基地局測位についての詳細の説明は省略する。
種別１における「ＧＰＳ」は、位置情報１５８が、ＧＰＳ衛星１２ａ等からの信号Ｓ１等に基づく測位（以下、ＧＰＳ測位と呼ぶ）によって生成した情報であることを示す。
【００３７】
また、位置情報セット１５６は、各位置情報１５８を取得した直後である例えば、５（ｓ）後の端末２０の位置が屋外であるか屋内であるかを示す「種別２」を示す情報を含む。
図７に示すように、例えば、ＩＣタグ１５Ａは部屋１７のドア１７ａの外側に配置されており、ＩＣタグ１５Ｂは部屋１７のドア１７ａの内側に配置されていいる。
端末２０の使用者甲が、建物１４内の部屋１７にある会社に出勤すると仮定すると、まず、自宅を出た甲の端末２０は、例えば、ＧＰＳ測位を行う。これにより、例えば、北緯３５度４１分０７秒、東経１３９度４１分５０秒という位置情報、２０００年１０月１日７時０分０秒という位置情報対応時刻情報、種別１としてＧＰＳ、種別２としてＯＵＴＤＯＯＲ（屋外）、種別３として測位誤差である５ｍという情報から構成される位置情報セット１５６ｅを生成する。この場合、種別２における屋外（ＯＵＴＤＯＯＲ）か屋内（ＩＮＤＯＯＲ）かの区別は、例えば、信号Ｓ１等の信号強度によって判断する。
【００３８】
続いて、端末２０が、例えば、基地局測位を行う。これにより、例えば、北緯３５度４１分０秒、東経１３９度４２分０秒という位置情報、２０００年１０月１日７時３０分０秒という位置情報対応時刻情報、種別１としてＣＥＬＬ、種別２としてＯＵＴＤＯＯＲ（屋外）、種別３として測位誤差である１００ｍという情報から構成される位置情報セット１５６ｄを生成する。この場合、種別２における屋外（ＯＵＴＤＯＯＲ）か屋内（ＩＮＤＯＯＲ）かの区別は、例えば、基地局５０からの電波強度によって判断する。
【００３９】
続いて、甲が建物１４内に入るときに、その正面玄関１４ａ（図１参照）に配置されたＩＣタグ１５からタグ情報１６（図２（ｂ）参照）を受信する。これにより、例えば、北緯３５度４１分０５秒、東経１３９度４１分４８秒という位置情報、２０００年１０月１日７時４０分０秒としう位置情報対応時刻情報、種別１としてＩＣ−ＴＡＧ、種別２としてＩＮＤＯＯＲ−ＩＮ、種別３としてＩＣタグ１５の位置の名称を示す「Ａビル  １Ｆ  正面玄関」という情報から構成される位置情報セット１５６ｃを生成する。この場合、種別２における屋外（ＯＵＴＤＯＯＲ）か屋内（ＩＮＤＯＯＲ）かの区別は、ＩＣタグ１５からの情報（以下、種別２を示す情報と呼ぶ）に基づいて行うようになっている。種別２を示す情報は、屋内屋外情報の一例である。
ＩＣタグ１５は、人が建物１４外から建物１４内へ入る正面玄関１４ａに配置されている。すなわち、ＩＣタグ１５は、建物１４の外側に配置されているから、端末２０がＩＣタグ１５からタグ情報１６を取得するのは、建物１４の外側から内側に入る場合である。このため、端末２０は、その直後である例えば、５秒（ｓ）後には屋内に位置するから、タグ情報１６は、屋内（ＩＮＤＯＯＲ）を示す情報を含むようになっている。
【００４０】
続いて、甲が端末２０を保持して部屋１７に入るときに、そのドアの外側に配置されたＩＣタグ１５Ａからタグ情報１６Ａ（図７参照）を受信する。これにより、例えば、北緯３５度４１分０５秒、東経１３９度４１分４８秒という位置情報、２０００年１０月１日８時０分０秒という位置情報対応時刻情報、種別１としてＩＣ−ＴＡＧ、種別２としてＩＮＤＯＯＲ−ＩＮ、種別３としてＩＣタグ１５Ａの位置の名称を示す「Ａビル  ５Ｆ  ドアＮｏ．１」という情報から構成される位置情報セット１５６ｂを生成する。
【００４１】
続いて、甲が１日の仕事を終え、端末２０を保持して部屋１７から出るときに、そのドアの内側に配置されたＩＣタグ１５Ｂからタグ情報１６Ｂ（図７参照）を受信する。これにより、例えば、北緯３５度４１分０５秒、東経１３９度４１分４８秒という位置情報、２０００年１０月１日１８時０分０秒という位置情報対応時刻情報、種別１としてＩＣ−ＴＡＧ、種別２としてＩＮＤＯＯＲ−ＯＵＴ、種別３としてＩＣタグ１５Ｂの位置の名称を示す「Ａビル  ５Ｆ  ドアＮｏ．１」という情報から構成される位置情報セット１５６ａを生成する。ここで、種別２がＩＮＤＯＯＲ−ＯＵＴとなっているのは、ＩＣタグ１５Ｂからタグ情報１６Ｂを取得した場合には、部屋１７の外に出ても、依然として建物１４内であるから、部屋からは出たが依然として屋外であることを示すためである。
なお、甲が端末２０保持して正面玄関１４ａを出るときには、その内側のＩＣタグ（図示せず）から、ＯＵＴＤＯＯＲ−ＯＵＴという種別２の情報を取得する。これは、端末２０が建物１４から外に出て、かつ、端末２０の位置が屋外であることを意味する。
【００４２】
制御部１００は、上述のように、ＩＣタグ１５等からのタグ情報１６等を受信することによって、位置情報セット１５６を蓄積していく。
【００４３】
図５に示すように、端末２０は、第１記憶部１１０に、最新位置情報取得プログラム１１６を格納している。最新位置情報取得プログラム１１６は、制御部１００が、入力装置２８を構成するいずれかの入力ボタンが、例えば、１０秒（ｓ）間連続して押下された場合に、第２記憶部１５０から最新の位置情報セット１５６ａ（図６参照）を取得するためのプログラムである。
【００４４】
図５に示すように、端末２０は、第１記憶部１１０に、最新位置情報送信プログラム１１８を格納している。最新位置情報送信プログラム１１８は、制御部１００が、通報受信端末６０に対して、最新の位置情報セット１５６ａを送信するためのプログラムである。すなわち、最新位置情報送信プログラム１１８と制御部１００は、最新記憶装置位置情報送信手段の一例である。
具体的には、制御部１００は、位置情報セット１５６ａを、端末ＩＤ情報１５２と緊急通報メッセージ１６２とともに、通報受信端末６０に対して送信する。緊急通報メッセージ１６２は、例えば、「緊急状態です」というメッセージである。端末ＩＤ情報１５２を送信することによって、通報受信端末６０は、どの端末からの緊急通報かを特定することができる。
【００４５】
図５に示すように、端末２０は、第１記憶部１１０に、屋内屋外判断プログラム１２０を格納している。屋内屋外判断プログラム１２０は、制御部１００が、位置情報セット１５６の種別２に基づいて、現在位置が屋内か屋外かを判断するためのプログラムである。すなわち、屋内屋外判断プログラム１２０と制御部１００は、屋内屋外判断手段の一例である。
上述のように、位置情報セット１５６は、種別２を含み、最新の位置情報セット１５６ａは、種別２が屋内であることを示している。
このため、制御部１００は、端末２０の現在位置が屋内であると判断する。
【００４６】
図５に示すように、端末２０は、第１記憶部１１０に、測位プログラム１２２を格納している。測位プログラム１２２は、制御部１００が上述の屋内屋外判断プログラム１２０によって現在位置が屋外であると判断した場合に、ＧＰＳ部１０６によって信号Ｓ１等を受信し、その信号Ｓ１等に基づいて現在位置を測位し、測位位置を示す測位位置情報１６４を生成するためのプログラムである。この測位位置情報１６４は、測位位置情報の一例である。そして、測位プログラム１２２と制御部１００とＧＰＳ部１０４は、測位位置情報生成手段の一例である。
【００４７】
具体的には、制御部１００はアルマナック１５４ａを参照して、計時部１０８によって計時した現在時刻において観測可能なＧＰＳ衛星１２ａ等を特定する。そして、制御部１００は、ＧＰＳ部１０６によって、例えば、３個以上のＧＰＳ衛星１２ａ等から信号Ｓ１等を受信し、信号Ｓ１等が各ＧＰＳ衛星１２ａ等から発信された時刻と端末２０に到達した時刻との差である遅延時間によって、各ＧＰＳ衛星１２ａ等と端末２０との間の距離である擬似距離を求める。そして、エフェメリス１５４ｂと、上述の擬似距離を使用して、現在位置の測位演算を行うようになっている。
このとき、制御部１００は、上述の屋内屋外判断プログラム１２０によって現在位置が屋外であると判断した場合にのみ、ＧＰＳ装置３６を起動して信号Ｓ１等を受信するようになっている。
制御部１００は、生成した測位位置情報１６４を第２記憶部１５０に格納する。図５に示すように、測位位置情報１６４は、現在位置の座標を例えば、緯度及び経度で示す情報である。また、測位位置情報１６４は、測位誤差を示す情報も含む。測位誤差を示す情報は、精度情報の一例である。
【００４８】
図５に示すように、端末２０は、第１記憶部１１０に、測位位置情報対応時刻情報生成プログラム１２４を格納している。測位位置情報対応時刻情報生成プログラム１２４は、制御部１００が計時部１０８によって、測位位置情報１６４を生成した時刻を計測し、測位位置情報対応時刻情報１６６を生成するためのプログラムである。
【００４９】
図５に示すように、端末２０は、第１記憶部１１０に、測位位置情報送信プログラム１２６を格納している。測位位置情報送信プログラム１２６は、制御部１００が、通報受信端末６０に対して、端末ＩＤ情報１５２と、測位位置情報１６４及び測位位置対応時刻情報１６６を送信するためのプログラムである。すなわち、測位位置情報送信プログラム１２６と制御部１００は、測位位置情報送信手段の一例である。
以上の構成によって、端末２０は、通報受信端末６０に対して、まず、第１に最新の位置情報セット１５６ａを送信する。続いて、端末２０は、屋外にいるときに限ってＧＰＳ衛星１２ａ等から信号を受信し、測位位置情報１６４を生成できた場合には、その測位位置情報１６４を送信することができる。
【００５０】
通報システム１０は、上述のように構成されている。
上述のように、端末２０は、通報受信端末６０に対して、タグリーダ３４によって受信したＩＣタグ情報１６等に含まれる位置情報を含む位置情報セット１５６のうち、例えば、最新の位置情報セット１５６ａを送信することができる。
ここで、端末２０はタグリーダ３４によって、日常的によく行く場所に限らず、ＩＣタグ１５等からタグ情報１６等を受信する。そして、最新の位置情報セット１５６ａは、端末２０が最も直近に取得した情報であるから、端末２０の真の位置に最も近いはずである。このため、端末２０の使用者甲が緊急状態において精神的な余裕がない場合においても、通報受信端末６０に対して、最も真の位置に近い位置情報を含む位置情報セット１５６ａを送信することができる。
さらに、端末２０は、ＧＰＳ衛星１２ａ等から信号Ｓ１等を受信するか否かに関わらず、最新の位置情報セット１５６ａを送信することができるから、迅速に最新の位置情報セット１５６ａを送信することができる。
また、端末２０は、現在位置が屋外であれば、信号Ｓ１等を受信し、測位位置情報１６４を生成した場合には、通報受信端末６０に対して、測位位置情報１６４を送信することができる。
これにより、想定外の位置において、精神的余裕がない場合においても、迅速に現在位置を示す位置情報を送信することができ、かつ、測位衛星からの電波を受信することができる場合には、迅速に測位衛星からの電波に基づく位置情報を送信することができる。
通報受信端末６０は、例えば、最新の位置情報セット１５６ａを受信することで、端末２０が直近に取得したタグ情報１６に含まれる位置情報及び名称情報を目安にして、直ちに、端末２０の保持者甲の捜索を開始することができる。そして、端末２０から測位位置情報１６４を受信した場合には、その測位位置情報１６４を手がかりにして、端末２０の保持者甲の捜索を続行することができる。測位位置情報１６４は、現実に端末２０の位置を測位して生成された情報であるから、上述の最新の位置情報セット１５６ａに含まれる位置情報よりも、端末２０の位置を精度良く示している。このため、第１に最新の位置情報セット１５６ａに含まれる位置情報を目安に端末２０の捜索を開始し、続いて、測位位置情報１６４に基づく捜索に切り替えることで、効率的に端末２０の保持者甲を捜索することができる。
【００５１】
また、上述のように、端末２０は、現在位置が屋外であると判断した場合にのみ、ＧＰＳ装置３６を起動する構成となっているから、屋内であって信号Ｓ１等の受信が不可能又は困難である場合には起動せず、無駄な動作による電力消費を低減することができる。
また、タグ情報１６等はＩＣタグ１５等の位置に対応する名称を示す名称情報を含み、測位位置情報１６４は測位誤差を示す情報を含むから、端末２０を捜索するための目安として名称情報及び測位誤差を示す情報を使用することができる。
【００５２】
（通報システム１０の動作例について）
以上が本実施の形態に係る通報システム１０の構成であるが、以下、その動作例を主に図８、図９及び図１０を使用して説明する。
【００５３】
図８、図９及び図１０は、通報システム１０の動作例を示す概略フローチャートである。
まず、図８を使用して、端末２０がタグ１５からタグ情報１６を受信するときの動作例を説明する。
まず、端末２０のタグリーダ３４が、ＩＣタグ１５からタグ情報１６を受信する（図８のステップＳＴ１）。このステップST１は、記憶装置位置情報受信ステップの一例である。
【００５４】
続いて、端末２０は、タグ情報１６を受信した時刻を示す位置情報対応時刻情報１６０を生成する（ステップST２）。このステップST２は、受信時刻情報生成ステップの一例である。
続いて、端末２０は、タグ情報１６を位置情報１５８として、位置情報対応時刻情報１６０とともに第２記憶部１５０に格納する（ステップＳＴ３）。この位置情報１５８と位置情報対応時刻情報１６０は、位置情報セット１５６を構成する。
端末２０は、ＩＣタグ１５等が配置されている場所を通過する都度、上述のステップSＴ１乃至ステップＳＴ３を行い、位置情報セット１５６を蓄積する（図６参照）。
【００５５】
次に、図９及び図１０を使用して、端末２０が通報受信端末６０に対して緊急通報を送信するときの動作例を説明する。
まず、端末２０は、通報ボタンが押下されたか否かを判断する（図９のステップＳＴ２１）。ここで、端末２０は、入力装置２８を構成する入力ボタンのうち、いずれか一つでも、例えば、１０秒（ｓ）間連続して押下された場合に、通報ボタンが押下されたと判断する。これは、いずれの入力ボタンも、通報ボタンとして機能することを意味する。
【００５６】
ステップＳＴ２１において、端末２０が通報ボタンが押下されたと判断すると、端末２０の第２記憶部１５０内の最新の位置情報セット１５６ａ（図６参照）を取得する（ステップＳＴ２２）。
続いて、端末２０は、通報受信端末６０に対して、最新の位置情報セット１５６ａを送信する（ステップＳＴ２３）。このステップＳＴ２３は、最新記憶装置位置情報送信ステップの一例である。
【００５７】
続いて、端末２０は、位置情報セット１５６ａの種別２が「ＩＮＤＯＯＲ」か否かを判断する（ステップＳＴ２４）。
ステップＳＴ２４において、端末２０は、位置情報セット１５６ａの種別２が「ＩＮＤＯＯＲ」であると判断すると、通報のための動作を終了する。
【００５８】
これに対して、仮に、位置情報セット１５６ａの種別２が「ＯＵＴＤＯＯＲ」である場合には、端末２０は、位置情報セット１５６ａの種別２が「ＩＮＤＯＯＲ」ではないと判断し、ＧＰＳ装置３６を起動する。そして、ＧＰＳ衛星１２ａ等から信号Ｓ１等を受信し、測位処理を開始する（図１０のステップＳＴ２５）。このステップＳＴ２５は、衛星信号受信ステップの一例であり、測位位置情報生成ステップの一例でもある。
【００５９】
続いて、端末２０は、測位位置が収束（ｆｉｘ）したか否かを判断する（ステップＳＴ２６）。端末２０は、測位演算を短時間に繰り返し行っているが、信号Ｓ１等の受信状態等によっては、測位演算の結果が一つに収束しない場合がある。端末２０は、測位演算の結果が収束しない場合には、測位位置を出力しないように構成されている。
【００６０】
ステップＳＴ２６において、端末２０は、測位位置が収束（ｆｉｘ）したと判断すると、測位位置情報１６４を測位位置対応時刻情報１６６（図５参照）とともに保存する（ステップＳＴ２７）。
続いて、端末２０は、測位位置情報１６４及び測位位置対応時刻情報１６６を通報受信端末６０に送信する。
なお、上述のステップＳＴ２６において、端末２０は、測位位置が収束（ｆｉｘ）しないと判断すると、通報のための動作を終了する。
【００６１】
以上のステップによって、想定外の位置において、精神的余裕がない場合においても、迅速に現在位置を示す位置情報を送信することができ、かつ、測位衛星からの電波受信することができる場合には、迅速に測位衛星からの電波に基づく位置情報を送信することができる。
【００６２】
（第２の実施の形態）
次に、第２の実施の形態について、説明する。
第２の実施の形態の通報システム１０Ａ（図１１参照）の構成は、上記第１の実施の形態の通報システム１０と多くの構成が共通するため共通する部分は同一の符号等とし、説明を省略し、以下、相違点を中心に説明する。
【００６３】
図１１は、通報システム１０Ａの構成を示す概略図である。
図１１に示すように、通報システム１０Ａは、管理サーバ（以下、サーバと呼ぶ）７０を有する。
通報受信端末６０は、サーバ７０に対して端末２０Ａの位置情報を要求し、端末２０Ａはサーバ７０を経由して位置情報を通報受信端末６０に送信するように構成されている。
【００６４】
図１２は、端末２０Ａの主なソフトウエア構成を示す概略図である。
図１２に示すように、端末２０Ａは、第１記憶部１１０に、最新位置情報送信プログラム１１８Ａを格納している。最新位置情報送信プログラム１１８Ａは、制御部１００が、通報受信端末６０からサーバ７０を介して、位置情報の要求を受信した場合に、サーバ７０に対して、端末ＩＤ情報１５２及び最新の位置情報セット１５６ａ（図６参照）を送信するためのプログラムである。
【００６５】
図１２に示すように、端末２０Ａは、第１記憶部１１０に、測位位置情報送信プログラム１２６Ａを格納している。位位置情報送信送信プログラム１２６Ａは、端末２０が、サーバ７０を介して通報受信端末６０に対して、端末ＩＤ情報１５２、測位位置情報１６４及び測位位置対応時刻情報１６６を送信するためのプログラムである。
【００６６】
上述のように、端末２０Ａと通報受信端末６０との間の通信は、サーバ７０を介して行われる。端末２０Ａとサーバ７０との間の通信環境は安定しており、同様に、通報受信端末６０とサーバ７０との間の通信環境は安定している。これに対して、端末２０Ａと通報受信端末６０は、例えば、いずれか一方が電波の届かない位置にあったり、通話中であれば、互いに通信ができない場合がある等、その通信環境は安定していない。
この点、端末２０Ａと通報受信端末６０との間の通信を、サーバ７０を介して行うことによって、端末２０Ａは通報受信端末６０から確実に位置情報の要求を受信し、位置情報を通報受信端末６０に対して確実に送信することができる。
【００６７】
以下、図１３及び図１４を使用して、通報システム１０Ａの動作例を説明する。
図１３及び図１４は、通報システム１０Ａの動作例を示す概略フローチャートである。
なお、端末２０ＡがＩＣタグ１５等からタグ情報１６等を受信する動作は、第１の実施の形態の端末２０と同様であるから、説明を省略し、以下、位置情報を送信するときの動作例のみを説明する。
まず、通報受信端末６０が、サーバ７０へ位置情報要求を送信する（図１３のステップＳＴ１０１）。ここで、位置情報要求とは、サーバ７０に対して端末２０Ａの位置を示す情報を要求するための情報である。このとき、通報受信端末６０は、検索対象の端末２０Ａの端末ＩＤを送信する。
【００６８】
続いて、サーバ７０は通報受信端末６０から位置情報要求を受信する（ステップＳＴ１０２）。
続いて、サーバ７０は、位置情報要求に含まれる端末ＩＤに該当する端末２０Ａに対して、位置要求を送信する（ステップＳＴ１０３）。ここで、位置要求とは、端末２０Ａに対して端末２０Ａの位置を示す情報を要求するための情報である。
【００６９】
続いて、端末２０Ａは、サーバ７０から位置要求を受信する（ステップＳＴ１０４）。
続いて、端末２０Ａは、最新の位置情報セット１５６ａ（図６参照）を取得する（ステップＳＴ１０５）。
続いて、端末２０Ａは、端末ＩＤ情報１５２及び最新の位置情報セット１５６ａをサーバ７０へ送信する（ステップＳＴ１０６）。
【００７０】
続いて、サーバ７０は端末２０Ａから端末ＩＤ情報１５２及び最新の位置情報セット１５６ａを受信し（ステップＳＴ２０１）、通報受信端末６０へその端末ＩＤ情報１５２及び最新の位置情報セット１５６ａを送信する（ステップＳＴ２０２）。
続いて、通報受信端末６０はサーバ７０から端末ＩＤ情報１５２及び最新の位置情報セット１５６ａを受信し（ステップＳＴ２０３）、表示装置７６（図３参照）にその最新の位置情報セット１５６ａを表示する（ステップＳＴ２０４）。
【００７１】
ステップＳＴ１０６に続いて、端末２０Ａは、ステップＳＴ１０７、図１４のステップＳＴ１０８、ステップＳＴ１０９及びステップＳＴ１１０を実施するが、第１の実施の形態のステップＳＴ２４（図９参照）、ステップＳＴ２５（図１０参照）、ステップＳＴ２６及びステップＳＴ２７と同様であるから、説明を省略する。
ステップＳＴ１１０に続いて、端末２０Ａは、端末ＩＤ情報１５２、測位位置情報１６４及び測位位置対応時刻情報１６６をサーバ７０へ送信する（ステップＳＴ１１１）
【００７２】
続いて、サーバ７０は端末２０Ａから端末ＩＤ情報１５２、測位位置情報１６４及び測位位置対応時刻情報１６６を受信し（ステップＳＴ２０５）、通報受信端末２０へその端末ＩＤ情報１５２、測位位置情報１６４及び測位位置対応時刻情報１６６を送信する（ステップＳＴ２０６）。
続いて、通報受信端末６０はサーバ７０から端末ＩＤ情報１５２、測位位置情報１６４及び測位位置対応時刻情報１６６を受信し（ステップＳＴ２０７）、表示装置７６（図３参照）にその測位位置情報１６４及び測位位置対応時刻情報１６６を表示する（ステップＳＴ２０８）。
【００７３】
以上のステップに示すように、端末２０Ａと通報受信端末６０との間の通信を、サーバ７０を介して行うから、端末２０Ａは通報受信端末６０から確実に位置情報の要求を受信し、位置情報を通報受信端末６０に対して確実に送信することができる。
【００７４】
（プログラム及びコンピュータ読み取り可能な記録媒体等について）
コンピュータに上述の動作例の記憶装置位置情報受信ステップと、受信時刻情報生成ステップと、最新記憶装置位置情報送信ステップと、衛星信号受信ステップと、測位位置情報生成ステップと、測位位置情報送信ステップ等を実行させるための端末装置の制御プログラムとすることができる。
また、このような端末装置の制御プログラム等を記録したコンピュータ読み取り可能な記録媒体等とすることもできる。
【００７５】
これら端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００７６】
本発明は、上述の各実施の形態に限定されない。さらに、上述の各実施の形態は、相互に組み合わせて構成するようにしてもよい。
【図面の簡単な説明】
【００７７】
【図１】本発明の実施の形態の通報システムを示す概略図である。
【図２】ＩＣタグのハードウエア構成等を示す概略図である。
【図３】端末の主なハードウエア構成を示す概略図である。
【図４】通報受信端末の主なハードウエア構成を示す概略図である。
【図５】端末の主なソフトウエア構成を示す概略図である。
【図６】位置情報セットの一例を示す図である。
【図７】ＩＣタグ等を示す図である。
【図８】通報システムの動作例を示す概略フローチャートである。
【図９】通報システムの動作例を示す概略フローチャートである。
【図１０】通報システムの動作例を示す概略フローチャートである。
【図１１】本発明の実施の形態の通報システムを示す概略図である。
【図１２】端末の主なソフトウエア構成を示す概略図である。
【図１３】通報システムの動作例を示す概略フローチャートである。
【図１４】通報システムの動作例を示す概略フローチャートである。
【符号の説明】
【００７８】
１０，１０Ａ・・・通報システム、１２ａ，１２ｂ，１２ｃ，１２ｄ・・・ＧＰＳ衛星、２０，２０Ａ・・・端末、５０・・・基地局、６０・・・通報受信端末、７０・・・管理サーバ、１１２・・・タグ情報受信プログラム、１１４・・・タグ情報受信時刻情報生成プログラム、１１６・・・最新位置情報取得プログラム、１１８，１１８Ａ・・・最新位置情報送信プログラム、１２０・・・屋内屋外判断プログラム、１２２・・・測位プログラム、１２４・・・測位位置情報対応時刻情報生成プログラム、１２６，１２６Ａ・・・測位位置情報送信プログラム
【図１】
2007116618.tif 000003
【図２】
2007116618.tif 000004
【図３】
2007116618.tif 000005
【図４】
2007116618.tif 000006
【図５】
2007116618.tif 000007
【図６】
2007116618.tif 000008
【図７】
2007116618.tif 000009
【図８】
2007116618.tif 000010
【図９】
2007116618.tif 000011
【図１０】
2007116618.tif 000012
【図１１】
2007116618.tif 000013
【図１２】
2007116618.tif 000014
【図１３】
2007116618.tif 000015
【図１４】
2007116618.tif 000016